(57)【要約】  外部から見える面を備えるパッケージ。外側から見える面はしるしを備えており、そのしるしは、光沢のある又は艶やかな被覆をその上に備える。外側から見える面は、しるしに対応する部分にエンボス加工される。外側から見える面は、しるしを囲む付加的な被覆を備え、その付加的な被覆は、光沢のないものである。このしるしは非英数字である。
2010524798.tif 000002
【特許請求の範囲】
【請求項１】
外側から見える面を備えるパッケージであって、前記外側から見える面が、しるしを備え、前記しるしが、光沢のある又は艶やかな被覆をその上に備え、前記外側から見える面が、前記しるしに対応する部分にエンボス加工され、前記外側から見える面が、前記しるしを囲む付加的な被覆を備え、前記付加的な被覆が、光沢がなく、前記しるしが、非英数字からなるパッケージ。
【請求項２】
前記付加的な被覆が、艶消し仕上げである、請求項１に記載のパッケージ。
【請求項３】
前記しるしが、水滴の図形である、請求項１又は２のいずれかに記載のパッケージ。
【請求項４】
前記しるしが、前記パッケージ内に収容された製品の像である、請求項１又は２のいずれかに記載のパッケージ。
【請求項５】
外側から見える面を備えるパッケージであって、前記外側から見える面が、しるしを備え、前記しるしが、第１の相対的光沢度を有する第１の被覆をその上に備え、前記外側から見える面が、前記しるしに対応する部分にエンボス加工され、前記外側から見える面が、前記しるしを囲む第２の被覆を備え、前記第２の被覆が、第２の相対的光沢度を有し、前記第１及び第２の相対的光沢度が、異なり、前記しるしが、非英数字からなり、かつ、箔のないものである、パッケージ。
【請求項６】
前記第１又は第２の被覆の一方が、艶消し仕上げを有する、請求項５に記載のパッケージ。
【請求項７】
前記しるしが、前記パッケージ内に収容された吸収性物品の像であり、前記パッケージ内に収容された前記吸収性物品が、孔、スロット、又は他の触覚的特徴から選択された３次元的な物理的特徴を有し、前記エンボス加工部分が、前記像と見当合わせされ、前記エンボス加工部分が、前記パッケージ内に収容された前記吸収性物品の前記３次元的な物理的特徴に対応するエンボスパターンを備える、請求項１、２、５又は６のいずれか一項に記載のパッケージ。
【請求項８】
吸収性物品を収容したパッケージであって、前記パッケージが、外側から見える面を備え、前記外側から見える面が、前記吸収性物品の像をその上に印刷され、前記像が、前記吸収性物品上の３次元的な特徴の２次元的な視覚的表現を有し、前記外側から見える面が、前記吸収性物品の前記像に対応する部分においてエンボス加工され、前記エンボス加工部分が、前記外側から見える面の３次元的な変形部分を備え、前記３次元的な変形部分が、前記吸収性物品上の前記３次元的な特徴の前記２次元的な絵画的表現に対応するパッケージ。
【請求項９】
窓を更に備える、請求項１〜８のいずれか一項に記載のパッケージ。
【請求項１０】
前記パッケージが、紙、厚紙、板紙、カートン用板紙、及びそれらの積層体からなる群から選択された材料からなる、請求項１〜９のいずれか一項に記載のパッケージ。
【発明の詳細な説明】
【技術分野】
【０００１】
本発明は、消費者製品用のパッケージングの分野に関する。
【背景技術】
【０００２】
消費者製品は、一般に小売店で消費者に販売される。消費者製品は、多くの場合、箱、容器、バッグ、ブリスターパック、カートンなどの保護パッケージングに入れて店頭で販売される。保護することに加えて、消費者製品用のパッケージングは、消費者が立ち止まり、パッケージされた製品の購入を検討し得るように、魅力的でかつ人目を引くものである。また、製造業者は、消費者がパッケージを見ること及び／又は手で扱うことで製品についての正しい情報を確認できるように、製品パッケージングを情報量の多いものにすることを望む。
【発明の概要】
【発明が解決しようとする課題】
【０００３】
店頭で消費者の目を引きつける消費者製品用のパッケージングが絶えず必要とされている。
【０００４】
加えて、消費者に立ち止まらせ目を向けさせる心地よい外観をもたらすだけでなく、パッケージの内部の製品について消費者に通達するのを助ける構造的な特徴をも有するパッケージングが必要とされている。
【０００５】
更に、柔軟で滑らかな触感など、消費者に望ましい特徴を有するが、出荷及び取り扱いに対して十分な耐久性のあるパッケージングが必要とされている。
【課題を解決するための手段】
【０００６】
外側から見える面を備えたパッケージが開示される。外側から見える面はしるしを備えており、そのしるしは、光沢のある又は艶やかな被覆をその上に備える。外側から見える面は、しるしに対応する部分にエンボス加工される。外側から見える面は、しるしを囲む付加的な被覆を備え、その付加的な被覆は、光沢のないものである。このしるしは非英数字からなる。
【図面の簡単な説明】
【０００７】
【図１】本発明のパッケージの１つの面の図。
【図２Ａ】図１に示すパッケージの部分２−２の横断面図。
【図２Ｂ】図１に示すパッケージの部分２−２の横断面図。
【図３】本発明のパッケージの１つの面の図。
【図４】本発明のパッケージの１つの面の図。
【図５Ａ】図１に示すパッケージの部分２−２の横断面図。
【図５Ｂ】図１に示すパッケージの部分２−２の横断面図。
【図５Ｃ】図１に示すパッケージの部分２−２の横断面図。
【図６】本発明のパッケージの一部分の概略図。
【図７】本発明の一実施形態の横断面図。
【発明を実施するための形態】
【０００８】
消費者製品とは、小売店で消費者に販売され、次いでその消費者によってその製品が消費者の目的に応じて使用されることが意図された製造物品である。消費者製品の例には、テレビ及びコンピュータなどの電気製品と、アフターマーケットの部品及び付属品などの自動車製品と、洗剤及びワックスなどのカーケア製品と、フロアクリーナ及びエアフレッシュナなどのホームケア製品と、練り歯磨き及び口内洗浄剤などの口腔ケア製品と、洗浄剤及び織物柔軟剤などの洗濯製品と、衣類と、宝石類と、ヘアケア及びボディケア用のクリーム、ジェル、及びコンディショナーなどの美容ケア製品と、ローション及びかみそりなどのスキンケア製品とが挙げられる。消費者製品の１つの種別が、使い捨ておむつ、トレーニングパンツ、失禁パッド及びパンツ、生理用ナプキン、タンポン、パンティライナー、拭き取り用品、ウェットタオル、包帯、並びにペッサリーなどを含めた使い捨て吸収性物品である。大部分の使い捨て吸収性物品は、１回使用された後に処分されることが意図されている。
【０００９】
本発明は、ある触感をユーザーに与えることができる永久的な３次元形状へと成形されることができるパッケージ材料に有用である。一般に、本発明に有用なパッケージ材料には、紙、板紙、厚紙、及び紙又は厚紙の貼り合わせなど、比較的硬い材料が挙げられる。また、パッケージ材料には、熱可塑性樹脂、成形可能な材料、及び紙と熱可塑性フィルムとの貼り合わせを挙げることができる。一般に、３次元性は、成形によって、又は、エンボス加工、デボス加工、折り曲げ加工、押し抜き加工などの永久変形によってもたらされることができる。一実施形態において、本発明は、当該技術分野において周知のように、紙、厚紙、又はそれらの貼り合わせの印刷された半加工品をスタンプ加工したものから作られた箱であることができる。
【００１０】
この発明について、使い捨て吸収性製品を収容するためのパッケージである本発明の一実施形態に関連して、以下で説明する。使い捨て吸収性製品は、小袋、小包、又は他の外包材に個別に包まれ封入され、本発明のパッケージに入れて小売用にパッケージされることができる。例えば、生理用ナプキンは、折り畳まれ、フィルムの外包みに包まれ、小売店で消費者に販売するためのパッケージに入れて積み重ねられることができる。同様に、ウェットタオルは、小包に個別にパッケージされ、小売店で消費者に販売するためのパッケージに入れて積み重ねられることができる。本発明について使い捨て吸収性製品に関連して説明するが、本発明は、所望により他の消費者製品に応用されることができる。
【００１１】
図１は、本発明のパッケージ１０の正面を示している。パッケージ１０は箱であることができ、また、パッケージングに有用であることが既知である任意の材料で作られることができ、その材料は、永久的な３次元的な変形を有するように加工されることができる。パッケージ１０は、紙、厚紙、又はパッケージ材料の貼り合わせで作られることができる。パッケージ１０は、ポリマーフィルム、フィルム／紙の貼り合わせ、又は、一部分はフィルム、そして一部分は紙で作られることができる。パッケージ１０は、好適な任意の形状又は寸法であることができ、また、４つの側部又は面と１つの頂面と１つの底面とを有する６面の箱であることができる。図１は、６面の箱の１つの面１２を示しており、この面は、概ね四角形の形状をなす４つの縁部を有して示されており、これらの縁部は、３次元的な平行管形状の（parallel-piped-shaped）パッケージ１０の角部にある。
【００１２】
パッケージ１０の、外側から見える面１２は、パッケージ１０内にパッケージされた製品１６に関連するしるし１４がその上に印刷されている。図１に示す実施形態において、製品１６は、使い捨て吸収性製品であることができ、具体的にはウェットタオルであることができる。製品１６はウェットタオルであり得るため、しるし１４は、水滴などの液滴の形状をなして、パッケージ１０が湿性であるという印象を与えることができる。
【００１３】
しるし１４のうちの少なくとも１つは、ある視感及び／又は触感を店頭で消費者に与えるように強調されることができる。例えば、しるし１４は、鮮やかな色、対照をなす色で、又は、深さ、形状、若しくは統一性の錯覚をもたらすような方式で印刷されることができる。例えば、パッケージ１０のしるし１４は、表面上で水滴の形状をなしており、概ね平坦な表面上に印刷されると３次元的に見えるように、適当なぼかし、陰影、及び色を用いて印刷されることができる。
【００１４】
湿性は、ウェットタオルなどの製品の製造業者がより強く伝えようと望み得る特徴であるため、パッケージ１０は、しるし１４を目立たせ、パッケージ１０を眺める又は保持する消費者に対してこの特徴を際立たせるような方式で、しるし１４の近くで修正されることができる。しるし１４を際立たせる１つの方式は、エンボス加工によるものである。図１のしるし１４のうちの１つの横断面図である図２Ａ及び２Ｂに示すように、エンボス加工の結果として、面１２のパッケージ材料１８の一部分は、概ね平坦な外形から、くぼませられるか、押し上げられるか、又は別の方法で形成されたエンボス加工部分２０へと変形されることができ、このエンボス加工部分２０は、寸法及び形状において、しるし１４の寸法及び形状と対応することができる。
【００１５】
視覚的なしるし１４をエンボス加工することによって、その視覚像は変化する。一実施形態において、しるし１４は非英数字からなる、つまり、しるし１４は数字又はアルファベットの文字を含まない。一実施形態において、しるし１４は、平面図において、図１に示すように、円などの滑らかな規則的な境界、又は、水滴の図形などの滑らかな不規則な境界によって画定されることができる、少なくとも１つの閉じた幾何学的図形を有することができる。例えば、エンボス加工された水滴の場合、エンボス加工された成形部分２０は、水滴像のしるし１４の寸法及び形状に類似することができ、また、３次元的な視覚・触覚像をパッケージ１０上にもたらすように、しるし１４と見当合わせされることができる。
【００１６】
一実施形態において、しるし１４は、像強調用の被覆、インク、染料、又は他の視覚的に識別可能な材料を、エンボス加工された像の目に見える表面の少なくとも一部分上に加えることによって、更に視覚的に強調されることができる。例えば、エンボス加工部分２０は、水滴の像などのしるし１４が、しるし１４を囲むパッケージ１０の部分と比べて光沢を増して見えるように、その目に見える表面に光沢のある被覆を加えられることができる。別の実施形態において、図２Ａ及び２Ｂに示すように、パッケージ材料１８は、紙、厚紙、板紙、カートン用板紙、又は他の好適なパッケージ基材２２からなることができる。色、商標、製品像などの一般的な像は、製品パッケージングの分野で知られ広く実践されているように、パッケージ基材２２上に直接印刷されることができる。全体的な印刷像に加えて、しるし１４がパッケージ基材２２上に印刷されることができる。しるしが印刷された後、像強調用の被覆２４が、少なくとも、しるし１４の一部分の上にかつその一部分に接触して加えられることができる。像強調用の被覆２４は、しるし１４の境界の直接上に、かつその境界と完全に見当合わせされて加えられることができ、また、図２Ａ及び２Ｂに示すように、像強調用の被覆２４は、パッケージ基材２２の大部分（すべてを含む）の上に加えられることができる。
【００１７】
しるし１４を消費者に対して更に視覚的に識別可能なものにするために、しるし１４を囲む、パッケージ１０の外側から見える部分が、印刷、対比色、仕上げ、きめ、又は他の目に見える特性などによって、しるし１４に加えられることができる。例えば、図２Ａ及び２Ｂに示すように、パッケージ基材２２は、対比する被覆２６を被覆されるか又は印刷されることができる。例えば、対比する被覆２６は、像強調用の被覆２４が光沢のある仕上げをなす場合、艶消し仕上げであることができる。一実施形態において、しるし１４は、紫外線又は電子線照射処理に適切にさらすことによって３次元的になり得る網状の被覆を有することができる。
【００１８】
しるし１４を像強調用の被覆（単数又は複数）２４で強調し、また、しるしを囲むパッケージ１０の部分を対照的な被覆（単数又は複数）２６で下塗りすることによって、しるし１４の視覚的表現は著しく改善されることができる。例えば、図１に示す例において、水滴の形をなすしるし１４は、水滴を艶やかにする光沢のある仕上げで強調されることができ、また、このしるしは、艶なし又は艶消し仕上げを含めて、水滴の像の周りのパッケージ１０の部分を艶やかでないものにすることによって、更に強調されることができる。一実施形態において、本発明のしるしは、パッケージを湿潤しているように見せることができ、このしるしは、パッケージ１０の外面上の現実の水滴に非常に類似して見える。当該技術分野で知られているような箔エンボス加工及び箔押しの形をなす箔が企図され、本発明のいくつかの実施形態に取り入れられることができるが、他の実施形態において、しるしは箔なしである。
【００１９】
図３は、ウェットタオルが収容されたパッケージ１０の１つの面の実施形態を示している。商標名ＡＬＷＡＹＳ（登録商標）、商標登録されたロゴ、内部の製品の像、及び他の情報提供のための印刷など、全体的に印刷された情報に加えて、目に見えるしるし１４がある。パッケージは、寸法及び形状において各しるし１４の寸法及び形状に対応することができるエンボス加工部分２０を有することができ、しるし１４は、図示のように、パッケージ１０の面１２上の水滴に見えることを意図された、表面上の水滴の像である。加えて、各しるし１４は、各しるし１４の近くを囲むパッケージ１０の部分と比べて、光沢をもつことができる。一実施形態において、しるし１４は、金属的な表面を有することができる。別の実施形態において、２つの部分の相対的な光彩又は光沢度は、異なるか又は逆であることができる。つまり、一実施形態において、しるし１４は、艶のない仕上げを有する一方で、それを囲むパッケージ材料は、光沢のある仕上げであることができる。当該技術分野で知られているような箔エンボス加工及び箔押しの形をなす箔が企図され、本発明のいくつかの実施形態に取り入れられることができるが、他の実施形態において、エンボス加工部分は箔なしである。
【００２０】
一実施形態において、しるし１４は、パッケージされた製品、例えば図１に示す製品１３の像であることができる。例えば、図２において、しるし１４は、あるウェットタオルの小包２８の絵画的表現であることができ、この絵画的表現は、ウェットタオルの一部分がその上に水滴を有して、図３に示されている。ウェット小包２８は、パッケージ１０の表面に対して隆起されることができ、また、上述したように艶のある仕上げを有するエンボス加工部分２０であることができる。そのような実施形態において、しるし１４は、製品のしるし３０、つまり、どのような製品及び製品の特徴がパッケージ１０の内部にあるかを消費者に示すための、製品の特徴を示す絵画的表現であると見なされることができる。当該技術分野で知られているような箔エンボス加工及び箔押しの形をなす箔が企図され、本発明のいくつかの実施形態に取り入れられることができるが、他の実施形態において、エンボス加工部分２０は箔なしである。
【００２１】
図４は、パッケージ１０の１つの面を示しており、この面は箱パッケージ１０の正面であることができ、パッケージ１０の内部にパッケージされた生理用ナプキン３２を表す製品のしるし３０がこの面の上に絵画的に表現されている。図示の実施形態において、生理用ナプキン３２は、２つの端部とウィングフラップを形成された（図示の実施形態では）２つの側部とを全体として画定する形状を有している。図示の実施形態において、使用時に前方に向けて着用されるように意図された生理用ナプキンの部分は、図４の上部の近くにある。生理用ナプキンは吸収性物品の一形態であり、また吸収性物品には、おむつ、タンポン、パンティライナー、失禁用具、包帯などが挙げられる。
【００２２】
一実施形態において、パッケージ１２は、パッケージ１２内に収容された吸収性物品などの製品１３の像がその上に印刷された、外側から見える面１２を有することができる。この像は、製品上の３次元的な特徴の２次元な視覚的表現を有することができる。外側から見える面は、吸収性物品の像に対応する部分にエンボス加工されることができる。エンボス加工部分は、外側から見える面の３次元的な変形部分であることができ、この３次元的な変形部分は、吸収性物品上の３次元的な特徴の２次元的な絵画的表現に対応することができる。
【００２３】
図示の生理用ナプキン３２などの吸収性物品は、視覚的に又は触覚的にユーザーに明らかでありかつ製造業者が店頭で消費者に伝えたいと望む様々な特徴を有することができる。例えば、パッケージされた生理用ナプキンは、きめのある表面を有するか、吸収性コア内の開口部若しくは孔を有するか、又は、吸収性コア内を含めた様々な部分内のスリット若しくはスロットを有することができる。図示の実施形態において、生理用ナプキン３２はパッケージ１０上に示されており、ここで、生理用ナプキンは、複数のドット又は円３４として絵画的に表現された、吸収性コア内の孔を有している。複数のドット又は円３４は、図４に示す概ね先細の「盾」形状などの全体的な形状を画定するパターンで配列されることができる。図示の実施形態において、生理用ナプキンはまた、吸収性コア内の横方向スロットを有しており、これらの横方向スロットは、複数の概ね細長い長円形状３６として絵画的に表されている。
【００２４】
本発明の一実施形態において、パッケージ１０上に示される製品の特徴の絵画的表現は、形状に相応するエンボス加工によって強調される。つまり、ドット又は円３４について、パッケージ１０は、概ね丸いエンボスのパターンでエンボス加工されることができ、細長い長円形状は、対応する直線形状でエンボス加工されることができる。エンボス加工部分は、絵画的しるしと見当合わせされるか又は部分的に見当合わせされることができる。一実施形態において、エンボス加工部分の形状（円形の又は細長い）は、それらが見当合わせされる絵画的形状と厳密にもおおよそでも対応する必要はない。つまり、円形形状のエンボス加工された隆起は、概して細長い長円形状と見当合わせされてもよく、依然として重要な利点を消費者にもたらす。
【００２５】
図５Ａ及び５Ｃは、図４に示すパッケージの部分５−５の横断面図である。図５Ａにおいて、エンボス加工部分２０は、外側から見える面１２に対して内向きにエンボス加工されている（すなわちデボス加工されている）。製品のしるし３０は、インク、染料、又は他の顔料４０を、エンボス加工部分２２と見当合わせして加えることによって印刷されることができる。一般に、印刷部分４０又はエンボス加工部分２０は、任意の順序で又は同時に達成されることができる。例えば、一実施形態において、製品のしるし３０又はしるし１４を含めた絵画的像がカートン用板紙上に印刷されることができ、次いでこのカートン用板紙は、エンボス成形型でエンボス加工され、本明細書で述べるように図形と見当合わせされることができる。エンボス加工され、見当合わせされ、絵画を印刷されたカートン用板紙は次いで、当該技術分野で既知の手段によってパッケージの半加工品へと打抜きされることができる。打抜きされた半加工品は、手製を含めた当該技術分野において既知の手段によって、完成したパッケージ１０形状へと折り畳まれることができる。
【００２６】
図５Ｂに示すように、エンボス加工部分２０は、外側から見える面１２に対して外向きに延びることができ、印刷部分４０は、エンボス加工部分上に加えられることができる。
【００２７】
図５Ｃに示すように、印刷部分４０とエンボス加工部分２０が正確に見当合わせされる必要はない。特定の実施形態において、印刷部分４０は、図５Ｃの４２で示すように、部分的に見当合わせされることができる。特定の実施形態において、印刷部分４０は、図５Ｃの４４で示すように、エンボス加工部分２０と見当合わせされないが近接することができる。
【００２８】
また、図５Ａ〜５Ｃの横断面の叙述は、同じ変形と説明を用いて、ドット又は円３４を通じた横断面にも適応することができる。
【００２９】
図６は、図４に示す製品のしるし３０の拡大詳細図である。製品のしるし３０は、周囲境界５０を有しており、この周囲境界５０は、滑らかな湾曲形状で完全に形成されることができる、閉じた幾何学的形状である。図示の実施形態において、製品のしるし３０は、前部５２と後部５４と吸収性コアとを有する生理用ナプキンを表しており、この吸収性コアは孔やスロットなど、視覚的及び触覚的に認識可能な物理的特徴を有している。パッケージされた生理用ナプキンの吸収性コア内の孔及びスロットなどの物理的特徴は、それぞれ、印刷されたドット又は円３４及び印刷された細長い長円形状３６として、製品のしるし３０内に絵画的に表されている。
【００３０】
エンボス２０のパターンは、印刷された絵画の特徴のパターンと見当合わせされるか又はおおよそで見当合わせされることができる。例えば、図示のように、四角形又は丸みを付けた四角形の形状をなすエンボス２０のパターンは、ドット又は円３４の対応するパターンと見当合わせされることができ、また、概ね細長いエンボス２０のパターンは、印刷された細長い長円形状３６のパターンと見当合わせされることができる。このようにして、パッケージ１０を眺めるか又は手で触れる人は、製品の特徴の表現を目視しかつ／又は感じ、それによって、パッケージ内に収容された製品の理解を高めることができる。
【００３１】
再び図４を参照すると、一実施形態において、更なる絵画的像及び対応するエンボスによって、消費者が、パッケージ１０内に収容された製品を十分に理解するのを支援することができる。パッケージを調べる消費者に、より明白な視覚的及び触覚的な感覚による察知をもたらすために、視覚的にも触覚的にも別個の製品特徴の拡大表現７０が作成されることができる。特徴を絵画的に拡大することにより、また同一の又は拡大した対応するエンボス加工部分２０を用いることで、ユーザーは、パッケージ１０内に収容された製品の望ましい製品特徴のより明白な印象を得ることができる。
【００３２】
再び図１及び４を参照すると、しるし１４及び／又は製品のしるし３０は、パッケージ１０のいずれの面上に設けられることもできるが、外側から見える面１２、特に、店頭で小売棚に対して外向きに方向付けられるように意図された面上に設けられるとき、最も有用となり得る。しるし１４又は製品のしるし３０は、外側から見える面１２の約１０％、２０％、５０％、又は約９０％を覆うように大きさを決定されることができる。一般に、しるし１４及び製品のしるし３０は、ある周囲縁部から別の周囲縁部までの最大寸法で測定して、大きさで約１ｃｍ〜約１０ｃｍの範囲に及ぶことができる。一般に、エンボス２０は、最大寸法で測定して、大きさで約１ｍｍ〜約１０ｍｍの最大寸法を有することができる。
【００３３】
再び図１を参照すると、パッケージ１０は、窓１１などの他の特徴を有することができる。窓１１は、パッケージ１０の面１２内の開口部であることができ、ポリマーフィルムの透明な窓であることができる。窓１１は、明澄な、着色した、又は半透明なフィルムを備えることができ、また、パッケージされた製品１３の少なくとも一部分をパッケージ１０の外部から見えるようにすることができる。一般に、窓１１及びパッケージ１０は、２００７年３月６日にモリナ（Molina）らに付与された米国特許第７１８５７６１号において開示されている通りに構成されることができる。
【００３４】
一実施形態において、パッケージ１０は、１８ｐｔのＳＢＳボード（18pt SBS board）の基材２２で構成された、標準的な折り込み片カートン（tuck flap carton）であることができる。パッケージ１０のアートは、中心の圧シリンダーフレキソ印刷機上で印刷された、フォトタイプ社（Phototype）によって供給されている１３３のラインスクリーンデジタルＮｕｄｏｔフレキソ印刷プレートを利用して製作されることができる。
【００３５】
エンボス加工部分２０は、光沢度の高いオーバーラッカー（overlacquer）であることができ、このオーバーラッカーは、９．８  ＢＣＭ  Ｓｉｅｇｗｅｒｋ  １０ＬＤ７２０９／２５−ＤＳにＦｌｅｘｏ  ＷａｔｅｒをベースとしたＨＩＧＨ  ＧＬＯＳＳ  Ｃｏａｔｉｎｇ  １５０  Ａｎｉｌｏｘという方式で加えることができる。エンボス加工部分２０を囲むパッケージ部分は、耐擦りきず性を増強させるためにワックスを加えられた７．８  ＢＣＭ  Ｓｉｅｇｗｅｒｋ  Ｐａｒｔ  Ｎｕｍｂｅｒ  ＦＵＢＭ７Ｕ３ＢＱにＦｌｅｘｏ  ＷａｔｅｒをベースとしたＳＯＦＴ  ＴＯＵＣＨ  Ｃｏａｔｉｎｇ  ２５０  Ａｎｉｌｏｘという方式で加えられた、艶消しの柔軟な手触りのオーバーラッカーであることができる。パッケージ材料は次いで、インラインの平抜きダイカッター上でダイラインごとに切断され、手で組み立てられ、製品を装填され、輸送容器の中に手で詰め込まれることができる。
【００３６】
一実施形態において、パッケージ１０は、比較的柔軟で滑らかな触感をもたらす、艶出し耐性のある被覆を備えることができる。図７に示すように、パッケージ材料１８の少なくとも一部分は、絵画層７０を印刷されることができる。絵画層７０は、既知の印刷プロセスで印刷される、色、形状、文字、数字、ロゴなどの既知の図形のいずれかであることができる。パッケージ材料は、上で議論したＳｉｅｇｗｅｒｋ  Ｐａｒｔ  Ｎｕｍｂｅｒ  ＦＵＢＭ７Ｕ３ＢＱなどの、いわゆる「柔軟な手触り」の被覆、又は、柔軟な若しくは絹のような手触りをもたらすためにシリカ若しくはシリコーンを含んだ他の被覆を更に印刷されるか若しくは被覆されることができる。艶出し耐性を良好にするために、またそれ以外に、図形層７０が露出し場合によっては擦り落とされるのを防ぐするために、艶消しニスの層７２、又は、擦り落とし耐性の高い他の被覆が、絵画層７０と柔軟な手触りの層７４との間に加えられることができる。艶消しのニス若しくはシリカを備えたオーバーラッカー、又は、他の比較的硬質で擦り落とし耐性のある被覆を、柔軟な手触りの被覆と絵画層との間に使用することにより、柔軟な手触りの被覆は、比較的高いシリコーン含有率を利用して、シリコーンとワックス組成物からなることができる。艶出し耐性は、パッケージの表面が擦れ落ちて下にある層が露出するか又は下にある層からインクが擦れ落ちる傾向に関するものである。一実施形態において、柔軟な手触りの層７４と艶消しニスの層７２は、同程度の艶を有することができ、それにより、柔軟な手触りの層７４の擦れ落ちは、柔軟な手触りの層７４と艶消しニスの層７２との間の艶の違いが原因で視覚的に明らかになることがない。
【００３７】
このパッケージは、消費者向けパッケージ用の通常の印刷材料と比較して、柔軟な感触の表面と消費者の指との間の、比較的高い摩擦係数を呈することができる。柔軟な感触の表面仕上げにより、高品質、洗練度、及び細部への特別な気配りをユーザーに暗示する感触がパッケージにもたらされる。婦人衛生物品などの特定の製品カテゴリにおいて、そのような暗示は、存在しなかったものであり、新たな高級で、高価な製品を効果的に販売することに利点をもたらす。したがって、新たな比較的高価な製品を提供するために、製造業者は、豊かさと柔らかさを伝える、柔軟で滑らかな手触りのワックス仕上げを有するパッケージを製造することができる。
【００３８】
開示するすべての実施形態において、光沢を与えるための他の方法が、所望により可能である。例えば、一実施形態において、パッケージ材料２２はそれ自体で、下にある紙の基材上にフィルムを貼り合わせることにより、光沢を有することができる。パッケージに光沢のある部分をもたらすために、光沢シールが、パッケージ又はパッケージ材料の一部分に加えられることができる。同様に、光沢の少ない表面及び仕上げによって、艶消し仕上げをもたらすことができる。一実施形態において、艶消し仕上げは、板紙を、艶消し仕上げ用の被覆で被覆されたマイクロエンボス加工フィルムと貼り合わせたものを利用することによって達成されることができる。
【００３９】
「発明を実施するための形態」で引用したすべての文書は、関連部分において参照によって本願に組み込まれるが、いずれの文書の引用も、それが本発明に対する先行技術であることを認めるものとして解釈されるものではない。本書における用語のいずれかの意味又は定義が、参照によって組み込まれる文書における同じ用語のいずれかの意味又は定義と対立する限りは、本書においてその用語に与えられた意味又は定義が優先されるものとする。
【００４０】
本発明の特定の実施形態について図示し説明したが、種々の他の変更及び修正が、本発明の趣旨及び範囲から逸脱することなくなされうることは、当業者には明らかとなろう。したがって、本発明の範囲内にあるそのようなすべての変更及び修正は、添付の特許請求の範囲で網羅することとする。
【図１】
2010524798.tif 000003
【図２Ａ】
2010524798.tif 000004
【図２Ｂ】
2010524798.tif 000005
【図４】
2010524798.tif 000006
【図５Ａ】
2010524798.tif 000007
【図５Ｂ】
2010524798.tif 000008
【図５Ｃ】
2010524798.tif 000009
【図６】
2010524798.tif 000010
【図７】
2010524798.tif 000011
【図３】
2010524798.tif 000012
【国際調査報告】
2010524798.tif 000013
2010524798.tif 000014
2010524798.tif 000015